(57)【要約】【課題】学校、病院、一般家庭等において容易、かつ、正確に被検者の腹囲を測定することができるようにした腹囲測定具を提供する。【解決手段】柔軟な帯状体１には被検者３の腹囲を測定するための目盛５を備えさせると共に、該帯状体１には該帯状体１を高さ調節自在に支持体７に取り付けるための取付手段９を備えさせたことを特徴とする腹囲測定具。支持体７としては、例えば、学校、病院等に備え付けられている身長計、一般家庭の冷蔵庫等を利用することができる。【選択図】図１
0003125078.tif 000002
【実用新案登録請求の範囲】
【請求項１】
柔軟な帯状体には被検者の腹囲を測定するための目盛を備えさせると共に、該帯状体には該帯状体を高さ調節自在に支持体に取り付けるための取付手段を備えさせたことを特徴とする腹囲測定具。
【考案の詳細な説明】
【技術分野】
【０００１】
本考案は、腹囲測定具に関するものであり、例えば学校、病院、一般家庭等において容易、かつ、正確に被検者の腹囲を測定することができるようにした腹囲測定具に係るものである。
【背景技術】
【０００２】
最近、メタボリック症候群の診断等の際に腹囲の測定が行なわれている。因みに、腹囲は被検者のヘソ（臍）の高さで水平方向に測定される腹の周囲の寸法である。
【０００３】
特開平１０−６０７１９号公報は、ウエストサイズを測定するためのメジャー付きベルト（以下「従来のメジャー付きベルト」という。）を開示している。
【特許文献１】特開平１０−６０７１９号公報
【考案の開示】
【考案が解決しようとする課題】
【０００４】
上記従来のメジャー付きベルトを用いて腹囲を測定することは一応可能である。しかしながら、上記従来のメジャー付きベルトを用いて腹囲を測定する場合には、次のような問題が生ずる。
【０００５】
（イ）メジャー付きベルトを被検者の腹に巻き付けたときに、該メジャー付きベルトが被検者の背部等でねじれるおそれがある。メジャー付きベルトが被検者の背部等でねじれたときには、被検者の腹囲を正確に測定することができない。
【０００６】
（ロ）メジャー付きベルトを被検者の腹に巻き付けたときに、該メジャー付きベルトが水平状態にならないことがしばしばある。メジャー付きベルトが水平状態にならないときには、被検者の腹囲を正確に測定することができない。
【０００７】
本考案は、上記従来のメジャー付きベルトにおける上述の如き問題を解決し、被検者の腹囲を容易、かつ、正確に測定することができるようにした腹囲測定具を提供しようとしてなされたものである。
【課題を解決するための手段】
【０００８】
上記課題を解決するために、本考案は、下記の腹囲測定具を提供するものである。
【０００９】
柔軟な帯状体には被検者の腹囲を測定するための目盛を備えさせると共に、該帯状体には該帯状体を高さ調節自在に支持体に取り付けるための取付手段を備えさせたことを特徴とする腹囲測定具。
【００１０】
［考案の作用］
本考案による腹囲測定具を使用する際には、帯状体に備えさせた取付手段により帯状体を支持体に取り付ける。このとき、帯状体が被検者の臍と同一の高さになるように、帯状体の位置を上下方向に調節する。
【００１１】
帯状体が被検者の臍を通り、かつ、ねじれることなく略水平になるように、帯状体を被検者の腹に巻き付ける。この状態で帯状体の目盛により被検者の腹囲を測定する。
【考案の効果】
【００１２】
本考案によれば、被検者の臍の高さで腹囲を正確に測定することができる。また、帯状体がねじれた状態で測定するおそれはない。けだし、帯状体が被検者の臍を通り、かつ、ねじれることなく略水平になるように被検者の腹に巻き付けられているか否かは、支持体に取り付けられた帯状体を目視することにより、容易、かつ、確実に視認することができるからである。また、学校に備え付けられている身長計を支持体として利用したときには、学校における検診で児童、生徒等の腹囲を容易、かつ、正確に測定することができる。
【考案を実施するための最良の形態】
【００１３】
符号１に示すものは柔軟な帯状体である。帯状体１は、例えば合成樹脂、布等により形成する。
【００１４】
帯状体１には被検者３の腹囲を測定するための目盛５を備えさせる。
【００１５】
更に、帯状体１には該帯状体１を高さ調節自在に支持体７に取り付けるための取付手段９を備えさせる。
【００１６】
図２〜図６に示す事例における支持体７は、学校、病院等に備え付けられている身長計であり、帯状体１は取付手段９を介して該身長計７の柱部７ａに高さ調節自在に取り付けられる。
【００１７】
図７に示す事例における支持体７は、一般家庭の冷蔵庫、洗濯機などである。
【００１８】
次に、取付手段９について説明する。
【００１９】
まず、支持体７が学校、病院等に備え付けられている身長計である場合における取付手段９について図１〜図６を参照して説明する。
【００２０】
この支持手段９は、帯状体１の一端に連結具１１を介して取付用ベルト１３を連結し、該連結具１１には該取付用ベルト１３を挿通させる挿通孔１５を備えさ、該取付用ベルト１３における身長計７の柱部７ａに接触する一面１３ａには滑り止め１７を取り付け、該取付用ベルト１３における他面１３ｂには一対の面ファスナー１９ａ、１９ｂを取り付けてなるものである。
【００２１】
この取付手段９により帯状体１を身長計７の柱部７ａに高さ調節自在に取り付ける際には、次のようになす。
【００２２】
即ち、取付用ベルト１３を取付用ベルト１３における一面１３ａの滑り止め１７が内側になるように身長計７の柱部７ａに巻き付け、該取付用ベルト１３の先端２１を連結具１１の挿通孔１５に内側より挿通させると共に該先端２１を折り返して取付用ベルト１３における他面１３ｂの一対の面ファスナー１９ａ、１９ｂを相互に係止させる。図６参照。以上により、帯状体１は身長計７の柱部７ａに取り付けられる。
【００２３】
このとき、被検者３を身長計７の前方に立たせ、帯状体１が被検者３の臍２３と同一の高さになるように帯状体１の位置を上下方向に調節した状態で、取付用ベルト１３を締め付けて身長計７の柱部７ａに固定する。
【００２４】
この状態で、測定者は、身長計７の側方に位置し、身長計７の前方に立っている被験者３に測定者の方向を向かせ、帯状体１が被検者３の臍２３を通ることを目で確認する（図２）。続いて、被検者３に身長計７を背にして身長計７の前方を向くよう略９０度回動させ、帯状体１に弛みや捩れがないことを確認しつつ帯状体１を被検者３の腹に軽くテンションをかけながら巻きつける。図３、図４参照。このとき、帯状体１の先端２５が測定者に見やすい位置になるように被検者３を適宜進退させる。
【００２５】
腹囲の測定は、従来のメジャーと同様に、目盛により行なう。
【００２６】
支持体７が一般家庭の冷蔵庫ないし洗濯機である場合における取付手段９について図７を参照して説明する。
【００２７】
この事例における取付手段９は永久磁石である。即ち、取付手段９たる永久磁石を支持体７たる冷蔵庫のドアパネル又は洗濯機に吸着させることにより、帯状体１を高さ調節自在に支持体７に取り付けるのである。
【図面の簡単な説明】
【００２８】
【図１】本考案による腹囲測定具の一例を示す斜視図である。
【図２】身長計を支持体として利用したときにおける同上腹囲測定具の使用状態を示す側面図である。
【図３】同上の別の側面図である。
【図４】同上の斜視図である。
【図５】支持体たる身長計の柱部に取付用ベルトを巻き付けた状態を示す斜視図である。
【図６】同上の断面図である。
【図７】冷蔵庫などを支持体として利用したときにおける腹囲測定具の使用状態を示す側面図である。
【符号の説明】
【００２９】
１  帯状体
３  被検者
５  目盛
７  支持体
７ａ  柱部
９  取付手段
１１  連結具
１３  取付用ベルト
１３ａ  一面
１３ｂ  他面
１５  挿通孔
１７  滑り止め
１９ａ  面ファスナー
１９ｂ  面ファスナー
２１  先端
２３  臍
２５  先端
【図１】
0003125078.tif 000003
【図２】
0003125078.tif 000004
【図３】
0003125078.tif 000005
【図４】
0003125078.tif 000006
【図５】
0003125078.tif 000007
【図６】
0003125078.tif 000008
【図７】
0003125078.tif 000009